(57)【要約】【課題】ドレインラインを備えるとともに、ハウジングに対してスクリーンが着脱可能に構成されたインライン型ストレーナを提供する。【解決手段】蓋体１１に対してスクリーン１２を着脱可能に支持させる。ハウジング１０の濾過室８に臨む底面と蓋体１１の下端との間に、ハウジング１０に対して蓋体１１を取り付けたときにハウジング１０と蓋体１１とを連結する蓋連結機構７０を設ける。蓋連結機構７０を構成するハウジング１０側の下連結要素７３に下排出流路７６を形成し、蓋連結機構７０を構成する蓋体１１側の上連結要素７１に上排出流路７５を形成する。そして、ハウジング１０に対して蓋体１１を取り付けたとき、上下の連結要素７１・７３の間で連結状態が確立されるとともに、上下の排出流路７５・７６が連通することでドレインライン７４が構築されるように構成する。【選択図】図１
2020185543.tif 000002
【特許請求の範囲】
【請求項１】
左右方向の一端側に開設された流入口（５）と、左右方向の他端側に開設された流出口（６）と、上方に開設された出入用孔（７）とを備え、内部に流入口（５）から流出口（６）に向う濾過室（８）を備えるハウジング（１０）と、
出入用孔（７）を封止するように、ハウジング（１０）に対して着脱可能に構成された蓋体（１１）と、
濾過室（８）内に配置されて、流入口（５）から流入された液体に対して濾過を行うスクリーン（１２）と、
スクリーン（１２）の一次側からハウジング（１０）の外部に至るように形成されて、スクリーン（１２）の濾面に付着した濾過残留物をハウジング（１０）の外部に排出するドレインライン（７４）と、
ドレインライン（７４）を開閉制御するドレインバルブ（８４）と、
を備え、
蓋体（１１）に対してスクリーン（１２）が着脱可能に支持されており、ハウジング（１０）から蓋体（１１）を取外したとき、出入用孔（７）を介してスクリーン（１２）の全体をハウジング（１０）の外部に取り出すことができるように構成されており、
ハウジング（１０）の濾過室（８）に臨む底面と蓋体（１１）の下端との間に、ハウジング（１０）に対して蓋体（１１）を取り付けたときにハウジング（１０）と蓋体（１１）とを連結する蓋連結機構（７０）が設けられており、
蓋連結機構（７０）を構成するハウジング（１０）側の下連結要素（７３）に下排出流路（７６）が形成され、蓋連結機構（７０）を構成する蓋体（１１）側の上連結要素（７１）に上排出流路（７５）が形成されており、
ハウジング（１０）に対して蓋体（１１）を取り付けたとき、上下の連結要素（７１・７３）の間で連結状態が確立されるとともに、上下の排出流路（７５・７６）が連通することでドレインライン（７４）が構築され、ハウジング（１０）に対して蓋体（１１）を取外したとき、上下の連結要素（７１・７３）の間の連結状態が解除されるように構成されていることを特徴とするインライン型ストレーナ。
【請求項２】
スクリーン（１２）は、筒内面を一次側とし、筒外面を二次側とする無底筒状に形成されており、
蓋体（１１）は、出入用孔（７）を封止する蓋本体（２８）と、スクリーン（１２）を着脱可能に支持するスクリーン支持構造（２９）とを含み、
スクリーン支持構造（２９）は、スクリーン（１２）の流出口（６）側の開口縁を支持する第１支持体（３９）と、スクリーン（１２）の流入口（５）側の開口縁を支持する第２支持体（４１）とを含み、第１支持体（３９）の下端が上連結要素（７１）とされており、
ハウジング（１０）の出入用孔（７）と対向する底面に、蓋体（１１）を出入用孔（７）に取り付けたときに、第１支持体（３９）の下端を外嵌状に保持する下連結要素（７３）が突設されており、
上排出流路（７５）が、スクリーン（１２）の流出口（６）側の開口（３７）に連通する第１排出流路（７７）と、第１支持体（３９）の内部に設けられて第１排出流路（７７）に連通する第２排出流路（７８）とで構成されている、請求項１記載のインライン型ストレーナ。
【請求項３】
スクリーン支持構造（２９）は、蓋本体（２８）に固定されて、スクリーン（１２）の流出口（６）側の開口縁を支持する第１支持体（３９）と、第１支持体（３９）の中途部から流入口（５）側に向って伸びる支持軸（４０）と、支持軸（４０）の遊端側に固定されて、スクリーン（１２）の流入口（５）側の開口縁を支持する第２支持体（４１）と、第１支持体（３９）と支持軸（４０）とを着脱可能に連結する第１連結構造（４２）と、第２支持体（４１）と支持軸（４０）とを着脱可能に連結する第２連結構造（４３）とで構成されており、
第１支持体（３９）と第２支持体（４１）との間に、スクリーン（１２）が挟持状に保持されている、請求項２記載のインライン型ストレーナ。
【請求項４】
第１支持体（３９）は、蓋本体（２８）から伸びる基端部（４５）と、基端部（４５）の下方に形成されてスクリーン（１２）の流出口（６）側の開口縁を支持するとともに、当該流出口（６）側の開口（３７）を閉じる有底筒状のスクリーン受部（４６）と、スクリーン受部（４６）の下方に形成された無底筒状の遊端部（４７）とで構成され、
これら基端部（４５）、スクリーン受部（４６）、および遊端部（４７）が一体に形成されており、
スクリーン受部（４６）に第１排出流路（７７）が形成され、遊端部（４７）に第２排出流路（７８）が形成されている、請求項３記載のインライン型ストレーナ。
【請求項５】
第２支持体（４１）は、盤面中央にスクリーン（１２）の一次側への液体の流入を許す開口（５１）を備える枠状の受片（５２）と、開口（５１）を仕切るように受片（５２）の対向する枠部どうしを繋ぐ横架片（５３）とで構成されており、
受片（５２）の上端縁に蓋本体（２８）の内面に受け止められる、回り止め防止用の規制辺部（５４）が形成されている、請求項３又は４記載のインライン型ストレーナ。
【請求項６】
支持軸（４０）は、両端に雄ネジ部（６０・６１）を有するスタッドボルトであり、
第１連結構造（４２）が、スタッドボルトの一端側に設けられた雄ネジ部（６０）と、スクリーン受部（４６）に設けられて雄ネジ部（６０）の挿通を許す通孔（６２）と、通孔（６２）を介して流出口（６）側に突出する雄ネジ部（６０）に螺合されるナット（６４）とで構成され、
第２連結構造（４３）が、スタッドボルトの他端側に設けられた雄ネジ部（６１）と、横架片（５３）に設けられて雄ネジ部（６１）と螺合する雌ネジ部（６６）とで構成されている、請求項５記載のインライン型ストレーナ。
【請求項７】
スクリーン（１２）は、筒内面を一次側とし、筒外面を二次側とする無底筒状に形成されており、
蓋体（１１）は、出入用孔（７）を封止する蓋本体（２８）と、スクリーン（１２）を着脱可能に支持するスクリーン支持構造（２９）とを含み、
スクリーン支持構造（２９）は、蓋本体（２８）から下方に延びる支持柱（１１０）と、支持柱（１１０）の下端に設けられてスクリーン（１２）の下方側の開口縁を支持する第１支持体（１１１）と、支持柱（１１０）の中途部に設けられてスクリーン（１２）の上方側の開口縁を支持する第２支持体（１１２）と、支持柱（１１０）と第１支持体（１１１）とを着脱可能に連結する連結構造（１１３）とを含み、支持柱（１１０）の下端が上連結要素（７１）とされており、
ハウジング（１０）の出入用孔（７）と対向する底面に、蓋体（１１）を出入用孔（７）に取り付けたときに、支持柱（１１０）の下端を外嵌状に保持する下連結要素（７３）が突設されており、
上排出流路（７５）が、スクリーン（１２）の下方側の開口に連通する第１排出流路（１３１）と、支持柱（１１０）の内部に設けられて第１排出流路（１３１）に連通する第２排出流路（１３２）とで構成されており、
第１支持体（１１１）と第２支持体（１１２）との間に、スクリーン（１２）が挟持状に保持されている、請求項１記載のインライン型ストレーナ。
【請求項８】
連結構造（１１３）が、支持柱（１１０）の先端に設けられた雄ネジ部（１２８）と、円筒状の第１支持体（１１１）の内面に形成された雌ネジ部（１２９）とで構成されている、請求項７記載のインライン型ストレーナ。
【請求項９】
濾過室（８）の上流に、スクリーン（１２）の内部に旋回流を発生させるための案内翼（９０）が形成されている、請求項２乃至６のいずれかひとつに記載のインライン型ストレーナ。
【請求項１０】
濾過室（８）を区画するハウジング（１０）に、ドレインライン（７４）を使った洗浄作業時に、濾過室（８）内に流体を圧送して、スクリーン（１２）の外部に乱流を生じさせるための流体供給路（９１〜９３）が形成されている、請求項９記載のインライン型ストレーナ。
【発明の詳細な説明】
【技術分野】
【０００１】
本発明は、液体を通す配管ラインに組み込まれて、液体中に含まれる異物を濾し取るインライン型ストレーナに関する。
【背景技術】
【０００２】
この種のインライン型ストレーナでは、液体中に含まれる異物がフィルターエレメントであるスクリーンに保持されて、目詰まりが生じることがある。このようなストレーナの目詰まりを解消するために、スクリーンの下流端に、ハウジング（ストレーナ本体）の外部に至るドレインラインを接続することは特許文献１〜３に公知である。このようにスクリーンの下流端にドレインラインが設けられていると、ドレインラインを開放することで、流体圧力によりスクリーンの内面に保持されている異物をハウジングの外部に排出することができるので、ハウジングの内部にスクリーンを設置した状態で、スクリーンの濾面再生を実行できる。
【０００３】
一方、ハウジングに対してスクリーンを着脱可能に構成して、ハウジングからスクリーンを取り出すことができるようにすることは、特許文献４、５に公知である。このようにハウジングからスクリーンを取り出すことができると、ハウジングの外部でスクリーンに対する洗浄作業を行って、目視にて確認しながら洗浄作業を進めることができるので、先のドレインラインを介して異物を排出する構成に比べて、より確実にスクリーンの濾面再生を実行できる。スクリーンの交換作業も容易であり、この点でもより確実にスクリーンの濾面再生を実行できる。
【先行技術文献】
【特許文献】
【０００４】
【特許文献１】特開２０１４−１７８０００号公報
【特許文献２】特開平５−２４５３１４号公報
【特許文献３】実願昭４７−１３３９８号（実開昭４８−９０２６１号）のマイクロフィルム
【特許文献４】実公昭４８−３０９６１号公報
【特許文献５】実公平３−４６８２８号公報
【発明の概要】
【発明が解決しようとする課題】
【０００５】
本発明者等は、ドレインラインを備えるストレーナにおける簡便な濾面再生機能と、ハウジングに対してスクリーンが着脱可能に構成されたストレーナにおける確実な濾面再生機能とに着目して、２つの濾面再生機能を備えたストレーナの開発を試みた。つまり、ドレインラインを備えるとともに、ハウジングに対してスクリーンが着脱可能に構成されたストレーナの開発を試みた。しかし、上記のような２つの濾面再生機能を備えたストレーナにおいては、ハウジングからスクリーンを取り出す際には、スクリーンとドレインラインとの間の接続状態を解除する、或いはドレインラインを分解する必要があり、また、ハウジング内にスクリーンを組み付ける際には、スクリーンとドレインラインと間の接続状態を再確立する、或いはドレインラインを再構築する必要がある。しかし、狭隘なハウジングの内部で、ドレインラインの分解作業や再構築作業などを行うことは非常に困難であり、一連の作業に手間が掛かることは避けられない。
【０００６】
本発明は、ドレインラインを備えるとともに、ハウジングに対してスクリーンが着脱可能に構成されており、二種のスクリーンの洗浄作業が可能であって、優れた濾面再生機能を備え、しかも、ハウジングからスクリーンを取り出す際のドレインラインの分解作業とハウジング内にスクリーンを組み付ける際のドレインラインの再構築作業が容易であって、組立て性とメンテナンス性に優れるインライン型のストレーナを提供することを目的とする。
【課題を解決するための手段】
【０００７】
本発明に係るインライン型ストレーナは、左右方向の一端側に開設された流入口５と、左右方向の他端側に開設された流出口６と、上方に開設された出入用孔７とを備え、内部に流入口５から流出口６に向う濾過室８を備えるハウジング１０と、出入用孔７を封止するように、ハウジング１０に対して着脱可能に構成された蓋体１１と、濾過室８内に配置されて、流入口５から流入された液体に対して濾過を行うスクリーン１２と、スクリーン１２の一次側からハウジング１０の外部に至るように形成されて、スクリーン１２の濾面に付着した濾過残留物をハウジング１０の外部に排出するドレインライン７４と、ドレインライン７４を開閉制御するドレインバルブ８４とを備える。蓋体１１に対してスクリーン１２が着脱可能に支持されており、ハウジング１０から蓋体１１を取外したとき、出入用孔７を介してスクリーン１２の全体をハウジング１０の外部に取り出すことができるように構成されている。ハウジング１０の濾過室８に臨む底面と蓋体１１の下端との間に、ハウジング１０に対して蓋体１１を取り付けたときにハウジング１０と蓋体１１とを連結する蓋連結機構７０が設けられている。蓋連結機構７０を構成するハウジング１０側の下連結要素７３に下排出流路７６が形成され、蓋連結機構７０を構成する蓋体１１側の上連結要素７１に上排出流路７５が形成されている。そして、ハウジング１０に対して蓋体１１を取り付けたとき、上下の連結要素７１・７３の間で連結状態が確立されるとともに、上下の排出流路７５・７６が連通することでドレインライン７４が構築され、ハウジング１０に対して蓋体１１を取外したとき、上下の連結要素７１・７３の間の連結状態が解除されるように構成されていることを特徴とする。
【０００８】
スクリーン１２は、筒内面を一次側とし、筒外面を二次側とする無底筒状に形成されている。蓋体１１は、出入用孔７を封止する蓋本体２８と、スクリーン１２を着脱可能に支持するスクリーン支持構造２９とを含む。スクリーン支持構造２９は、スクリーン１２の流出口６側の開口縁を支持する第１支持体３９と、スクリーン１２の流入口５側の開口縁を支持する第２支持体４１とを含み、第１支持体３９の下端が上連結要素７１とされている。ハウジング１０の出入用孔７と対向する底面に、蓋体１１を出入用孔７に取り付けたときに、第１支持体３９の下端を外嵌状に保持する下連結要素７３が突設されている。上排出流路７５が、スクリーン１２の流出口６側の開口３７に連通する第１排出流路７７と、第１支持体３９の内部に設けられて第１排出流路７７に連通する第２排出流路７８とで構成されている。
【０００９】
スクリーン支持構造２９は、蓋本体２８に固定されて、スクリーン１２の流出口６側の開口縁を支持する第１支持体３９と、第１支持体３９の中途部から流入口５側に向って伸びる支持軸４０と、支持軸４０の遊端側に固定されて、スクリーン１２の流入口５側の開口縁を支持する第２支持体４１と、第１支持体３９と支持軸４０とを着脱可能に連結する第１連結構造４２と、第２支持体４１と支持軸４０とを着脱可能に連結する第２連結構造４３とで構成されている。第１支持体３９と第２支持体４１との間に、スクリーン１２が挟持状に保持されている。
【００１０】
第１支持体３９は、蓋本体２８から伸びる基端部４５と、基端部４５の下方に形成されてスクリーン１２の流出口６側の開口縁を支持するとともに、当該流出口６側の開口３７を閉じる有底筒状のスクリーン受部４６と、スクリーン受部４６の下方に形成された無底筒状の遊端部４７とで構成されている。これら基端部４５、スクリーン受部４６、および遊端部４７が一体に形成されている。スクリーン受部４６に第１排出流路７７が形成され、遊端部４７に第２排出流路７８が形成されている。
【００１１】
第２支持体４１は、盤面中央にスクリーン１２の一次側への液体の流入を許す開口５１を備える枠状の受片５２と、開口５１を仕切るように受片５２の対向する枠部どうしを繋ぐ横架片５３とで構成されている。受片５２の上端縁に蓋本体２８の内面に受け止められる、回り止め防止用の規制辺部５４が形成されている。
【００１２】
支持軸４０は、両端に雄ネジ部６０・６１を有するスタッドボルトである。第１連結構造４２が、スタッドボルトの一端側に設けられた雄ネジ部６０と、スクリーン受部４６に設けられて雄ネジ部６０の挿通を許す通孔６２と、通孔６２を介して流出口６側に突出する雄ネジ部６０に螺合されるナット６４とで構成されている。第２連結構造４３が、スタッドボルトの他端側に設けられた雄ネジ部６１と、横架片５３に設けられて雄ネジ部６１と螺合する雌ネジ部６６とで構成されている。
【００１３】
スクリーン１２は、筒内面を一次側とし、筒外面を二次側とする無底筒状に形成されている。蓋体１１は、出入用孔７を封止する蓋本体２８と、スクリーン１２を着脱可能に支持するスクリーン支持構造２９とを含む。スクリーン支持構造２９は、蓋本体２８から下方に延びる支持柱１１０と、支持柱１１０の下端に設けられてスクリーン１２の下方側の開口縁を支持する第１支持体１１０と、支持柱１１０の中途部に設けられてスクリーン１２の上方側の開口縁を支持する第２支持体１１２と、支持柱１１０と第１支持体１１１とを着脱可能に連結する連結構造１１３とを含み、支持柱１１０の下端が上連結要素７１とされている。ハウジング１０の出入用孔７と対向する底面に、蓋体１１を出入用孔７に取り付けたときに、支持柱１１０の下端を外嵌状に保持する下連結要素７３が突設されている。上排出流路７５が、スクリーン１２の下方側の開口に連通する第１排出流路１３１と、支持柱１１０の内部に設けられて第１排出流路１３１に連通する第２排出流路１３２とで構成されている。第１支持体１１１と第２支持体１１２との間に、スクリーン１２が挟持状に保持されている。
【００１４】
連結構造１１３が、支持柱１１０の先端に設けられた雄ネジ部１２８と、円筒状の第１支持体１１１の内面に形成された雌ネジ部１２９とで構成されている。
【００１５】
濾過室８の上流に、スクリーン１２の内部に旋回流を発生させるための案内翼９０が形成されている。
【００１６】
濾過室８に区画するハウジング１０に、ドレインライン７４を使った洗浄作業時に、濾過室８内に流体を圧送して、スクリーン１２の外部に乱流を生じさせるための流体供給路９１〜９３が形成されている。
【発明の効果】
【００１７】
本発明に係るインライン型ストレーナは、ドレインライン７４と、ドレインライン７４を開閉制御するドレインバルブ８４とを備える。これによれば、ドレインライン７４を開くことで、スクリーン１２の濾面に付着した濾過残留物をハウジング１０の外部に排出することができるので、ハウジング１０の内部にスクリーン１２を設置した状態で、洗浄作業を行って濾面を再生することができる。また、本発明に係るインライン型ストレーナは、蓋体１１に対してスクリーン１２を着脱可能に支持させて、ハウジング１０から蓋体１１を取外したとき、出入用孔７を介してスクリーン１２の全体をハウジング１０の外部に取り出すことができるので、ハウジング１０の外部においてスクリーン１２の洗浄作業を行って濾面を再生することもできる。以上より、本発明のインライン型ストレーナによれば、ドレインライン７４を介したスクリーン１２の洗浄作業と、ハウジング１０の外部におけるスクリーン１２の洗浄作業という、二種の洗浄作業を行うことができるため、例えば、まずドレインライン７４を介した洗浄作業を行い、当該洗浄作業によっても目詰まりが解消しない場合には、ハウジング１０の外部にスクリーン１２を取り出して洗浄作業を行うなど、使用状況や目詰まりの状態に応じた最適な洗浄作業を実行できる。日常的にはドレインライン７４を介した洗浄作業を行い、数ヶ月や数週間に一度、ハウジング１０の外部にスクリーン１２を取り出して洗浄作業を行うなど、この場合にも使用状況や目詰まりの状況に応じた最適な洗浄作業を実行できる。さらにハウジング１０の外部にスクリーン１２を取り出し、当該スクリーン１２を交換することで濾面を再生することも可能である。以上より、本発明によれば、使用状況や目詰まりの状況に応じたスクリーン１２の洗浄作業や交換作業を適切に行うことができるため、濾面再生機能に優れたインライン型ストレーナを得ることができる。
【００１８】
そのうえで本発明においては、ハウジング１０の濾過室８に臨む底面と蓋体１１の下端との間に、ハウジング１０に対して蓋体１１を取り付けたときにハウジング１０と蓋体１１とを連結する蓋連結機構７０を設け、蓋連結機構７０を構成するハウジング１０側の下連結要素７３に下排出流路７６を形成し、蓋連結機構７０を構成する蓋体１１側の上連結要素７１に上排出流路７５を形成し、ハウジング１０に対して蓋体１１を取り付けたとき、上下の連結要素７１・７３の間で連結状態が確立されるとともに、上下の排出流路７５・７６が連通することでドレインライン７４が構築され、ハウジング１０に対して蓋体１１を取外したとき、上下の連結要素７１・７３の間の連結状態が解除されるように構成した。これによれば、ハウジング１０に対して蓋体１１を取り付けるだけで、ドレインライン７４を構築することが可能であり、また、逆の手順でハウジング１０に対して蓋体１１を取外すだけで、ドレインライン７４を分解することができる。以上より、本発明によれば、狭隘なハウジング１０の内部におけるドレインライン７４の構築作業や分解作業は一切不要であり、ハウジング１０に対する蓋体１１の着脱操作を行うだけで、ワンタッチで迅速且つ簡単にドレインライン７４の構築作業や分解作業を行うことができる。したがって、本発明によれば、組立て性とメンテナンス性に優れたインライン型ストレーナを得ることができる。
【００１９】
ハウジング１０の上方に出入用孔７を開設したので、蓋体１１を取外したときに、ハウジング１０から液体が漏れることを抑えることができる。したがって、スクリーン１２の取り出し作業を行うたびに、ハウジング１０内の液体を排出する必要はなく、より迅速に、ハウジング１０の外部における洗浄作業を進めることができる。
【００２０】
具体的には、スクリーン支持構造２９のスクリーン１２の流出口６側の開口縁を支持する第１支持体３９の下端に上連結要素７１が形成され、ハウジング１０の出入用孔７と対向する底面に、蓋体１１を出入用孔７に取り付けたときに、第１支持体３９の下端を外嵌状に保持する下連結要素７３が突設され、上排出流路７５が、スクリーン１２の流出口６側の開口３７に連通する第１排出流路７７と、第１支持体３９の内部に設けられて第１排出流路７７に連通する第２排出流路７８とで構成されていると、ハウジング１０に対して蓋体１１を取り付けたとき、上下の連結要素７１・７３の間で嵌合状の連結状態を確立させることができる。また、上下の連結要素７１・７３の間で連結状態が確立されることで、上下の排出流路７７・７８が連通してドレインライン７４を構築することができる。また、ハウジング１０に対して蓋体１１を取外したとき、上下の連結要素７１・７３の間の連結状態が解除されるので、ドレインライン７４を分解することができる。以上より、本発明によれば、狭隘なハウジング１０の内部におけるドレインライン７４の構築作業や分解作業は一切不要であり、迅速且つ簡単にドレインライン７４の構築作業や分解作業を行うことができるので、組立て性とメンテナンス性に優れたインライン型ストレーナを得ることができる。
【００２１】
さらに具体的には、スクリーン支持構造２９を、蓋本体２８に固定されて、スクリーン１２の流出口６側の開口縁を支持する第１支持体３９と、第１支持体３９の中途部から流入口５側に向って伸びる支持軸４０と、支持軸４０の遊端側に固定されて、スクリーン１２の流入口５側の開口縁を支持する第２支持体４１と、第１支持体３９と支持軸４０とを着脱可能に連結する第１連結構造４２と、第２支持体４１と支持軸４０とを着脱可能に連結する第２連結構造４３とで構成し、第１支持体３９と第２支持体４１との間に、スクリーン１２が挟持状に保持されている形態を採ることができる。上記のスクリーン支持構造２９によれば、蓋本体２８に対しては第１支持体３９のみが固定されており、第２支持体４１は支持軸４０を介して第１支持体３９に保持されており、しかも第１支持体３９と第２支持体４１との間にスクリーン１２が挟持状に保持されているから、第１連結構造４２による第１支持体３９に対する支持軸４０の連結状態を解除するだけで、支持軸４０、第２支持体４１、およびスクリーン１２を、蓋本体２８および第１支持体３９から分離することができ、また逆の手順で第１連結構造４２により第１支持体３９に対する支持軸４０の連結状態を確立することで、支持軸４０、第２支持体４１、およびスクリーン１２を、蓋本体２８および第１支持体３９に連結することができる。したがって、例えば、蓋本体２８に対して第１支持体３９のみならず第２支持体４１が固定されている構成に比べて、より迅速に蓋本体２８からスクリーン１２を分離して洗浄作業を行うことが可能であり、組立て性とメンテナンス性に優れたインライン型ストレーナを得ることができる。
【００２２】
第１支持体３９が、蓋本体２８から伸びる基端部４５と、基端部４５の下方に形成されてスクリーン１２の流出口６側の開口縁を支持するとともに、当該流出口６側の開口３７を閉じる有底筒状のスクリーン受部４６と、スクリーン受部４６の下方に形成された無底筒状の遊端部４７とで構成され、これら基端部４５、スクリーン受部４６、および遊端部４７の三者が一体に形成されていると、これら三者を別体に構成する形態に比べて、部品点数が少なく構造の簡素化を図ることができ、しかも三者を組み付ける作業も不要となるので、組み付け作業性の向上を図ることができる。
【００２３】
第２支持体４１が、盤面中央にスクリーン１２の一次側への液体の流入を許す開口５１を備える枠状の受片５２と、開口５１を仕切るように受片５２の対向する枠部どうしを繋ぐ横架片５３とで構成されていると、枠状の受片５２によりスクリーン１２の流入口５側の開口縁を全周状に支持することができるので、スクリーン１２の変形を効果的に防ぐことができる。また、受片５２を開口５１を備える枠状とすることで、受片５２を設けたことによりスクリーン１２の一次側への液体の流入が阻害されることを最小限化して、支障なく液体をスクリーン１２内に流入させることができる。受片５２の上端縁に蓋本体２８の内面に受け止められる規制辺部５４が形成されていると、流体圧力を受けて第２支持体４１ががたつくのを防止することができるので、不用意に第１連結構造４２や第２連結構造４３が解除されて、スクリーン支持構造２９からスクリーン１２が脱落することを防ぐことができる。第２支持体４１のがたつきを防止することができるので、静粛性の向上を図ることもできる。
【００２４】
支持軸４０が、両端に雄ネジ部６０・６１を有するスタッドボルトであり、第１連結構造４２が、スタッドボルト４０の一端側に設けられた雄ネジ部６０と、スクリーン受部４６に設けられて雄ネジ部６０の挿通を許す通孔６２と、通孔６２を介して流出口６側に突出する雄ネジ部６０に螺合されるナット６４とで構成されており、第２連結構造４３が、スタッドボルトの他端側に設けられた雄ネジ部６１と、横架片５３に設けられて雄ネジ部６１と螺号する雌ネジ部６６とで構成されていると、これら第１連結構造４２と第２連結構造４３を簡素化することができるので、インライン型ストレーナの製造コストを抑えることができる。
【００２５】
本発明のスクリーン支持構造２９は、蓋本体２８から下方に延びる支持柱１１０と、支持柱１１０の下端に設けられてスクリーン１２の下方側の開口縁を支持する第１支持体１１１と、支持柱１１０の中途部に設けられてスクリーン１２の上方側の開口縁を支持する第２支持体１１２と、支持柱１１０と第１支持体１１１とを着脱可能に連結する連結構造１１３とを含み、支持柱１１０の下端が上連結要素７１とされており、ハウジング１０の出入用孔７と対向する底面に、蓋体１１を出入用孔７に取り付けたときに、支持柱１１０の下端を外嵌状に保持する下連結要素７３が突設されており、上排出流路７５が、スクリーン１２の下方側の開口に連通する第１排出流路１３１と、支持柱１１０の内部に設けられて第１排出流路１３１に連通する第２排出流路１３２とで構成されている構成を採ることができる。これによれば、ハウジング１０に対して蓋体１１を取り付けたとき、上下の連結要素７１・７３の間で嵌合状の連結状態を確立させることができる。また、上下の連結要素７１・７３の間で連結状態が確立されることで、上下の排出流路１３１・１３２が連通してドレインライン７４を構築することができる。また、ハウジング１０に対して蓋体１１を取外したとき、上下の連結要素７１・７３の間の連結状態が解除されるので、ドレインライン７４を分解することができる。以上より、本発明によれば、狭隘なハウジング１０の内部におけるドレインライン７４の構築作業や分解作業は一切不要であり、迅速且つ簡単にドレインライン７４の構築作業や分解作業を行うことができるので、組立て性とメンテナンス性に優れたインライン型ストレーナを得ることができる。
【００２６】
また、本発明のスクリーン支持構造２９によれば、蓋本体２８に対しては支持柱１１０のみが固定されており、しかも第１支持体１１１と第２支持体１１２との間にスクリーン１２が挟持状に保持されているため、連結構造１１３による支持柱１１０に対する第１支持体１１１の連結状態を解除するだけで、第１支持体１１１、第２支持体１１２およびスクリーン１２を、蓋本体２８および支持柱１１０から分離することができ、また逆の手順で連結構造１１３により支持柱１１０に対する第１支持体１１１の連結状態を確立することで、第１支持体１１１、第２支持体１１２およびスクリーン１２を、蓋本体２８および支持柱１１０に連結することができる。したがって、容易に蓋本体２８からスクリーン１２を分離して洗浄作業を行うことが可能であり、組立て性とメンテナンス性に優れたインライン型ストレーナを得ることができる。
【００２７】
連結構造１１３が、支持柱１１０の先端に設けられた雄ネジ部１２８と、円筒状の第１支持体１１１の内面に形成された雌ネジ部１２９とで構成されていると、連結構造１１３を簡素化することができるので、インライン型ストレーナの製造コストを抑えることができる。
【００２８】
濾過室８の上流に、スクリーン１２の内部に旋回流を発生させるための案内翼９０が形成されていると、旋回流の流体圧力により、スクリーン１２の内部にこびり付いた異物を剥がし取ることができるので、ドレインライン７４が開放操作されたときに、より効率的にスクリーン１２の濾面を再生することができる。
【００２９】
濾過室８を区画するハウジング１０に、ドレインライン７４を使った洗浄作業時に、濾過室８内に流体を圧送して、スクリーン１２の外部に乱流を生じさせるための流体供給路９１〜９３が形成されていると、これら乱流によりスクリーン１２の筒内面に付着している固形異物等を、筒内面から浮き上がらせることができるので、より確実に固形異物等を筒内面から剥がし取って、ドレインライン７４を介して固形異物等をハウジング１０の外部に排出して、濾面を再生することができる。
【図面の簡単な説明】
【００３０】
【図１】本発明の実施例１に係るインライン型ストレーナの縦断正面図である。
【図２】インライン型ストレーナの要部の分解正面図であり、ハウジングから蓋体を取外した状態を示している。
【図３】インライン型ストレーナの要部の縦断正面図である。
【図４】スクリーン支持構造の分解斜視図である。
【図５】図１のＡ−Ａ線断面図である。
【図６】ハウジングの平面図である。
【図７】本発明の実施例２に係るインライン型ストレーナの要部の縦断正面図である。
【図８】本発明の実施例３に係るインライン型ストレーナの縦断正面図である。
【図９】図８のＢ−Ｂ線断面図である。
【図１０】インライン型ストレーナの縦断正面図であり、旋回流の方向を説明するための図である。
【図１１】本発明の実施例４に係るインライン型ストレーナの縦断正面図である。
【図１２】インライン型ストレーナの要部の分解正面図であり、ハウジングから蓋体を取外した状態を示している。
【図１３】スクリーン支持構造の分解正面図である。
【図１４】スクリーン支持構造の分解斜視図である。
【図１５】インライン型ストレーナの要部の縦断正面図である。
【図１６】図１５のＣ−Ｃ線断面図である。
【図１７】ハウジングの平面図である。
【図１８】蓋体の別構造を示す縦断側面図である。
【発明を実施するための形態】
【００３１】
（実施例１）  図１から図６に、本発明に係るインライン型ストレーナを、直線形の内部流路を有するストレート型ストレーナに適用した実施例１を示す。本実施例における前後、左右、上下とは、図１、図３、および図５に示す交差矢印と、各矢印の近傍に表記した前後、左右、上下の表示に従う。図１に示すように、本実施例におけるストレーナ１は、上流側に位置する第１移送管２と、下流側に位置する第２移送管３との間に配されており、これら移送管２・３で構成されるライン内を流れる液体に対して濾過を行って、濾過残留物である固形異物等の除去を行う。ストレーナ１は、左端に開設された流入口５と、右端に開設された流出口６と、上方に開設された出入用孔７とを備え、内部に流入口５から流出口６に向う濾過室８を有するハウジング１０と、ハウジング１０に対して着脱可能に構成された蓋体１１と、濾過室８内に配されるスクリーン１２と、ハウジング１０の左方に設けられた流入筒１３と、ハウジング１０の右方に設けられた流出筒１４などを有する。ハウジング１０、流入筒１３、および流出筒１４は、これらが一体に形成された鋳造品からなる。
【００３２】
流入筒１３の左端と、第１移送管２の右端のそれぞれにはフランジ１５・１６が設けられており、両者１３・２のフランジ１５・１６を突き合わせたうえで、両フランジ１５・１６に設けられた複数個のボルト孔１７にボルト１８を通して、両フランジ１５・１６をナット１９で締め付けることにより、両者１３・２は連結されている。同様に、流出筒１４の右端と、第２移送管３の左端のそれぞれにはフランジ２０・２１が設けられており、両者１４・３のフランジ２０・２１を突き合わせたうえで、両フランジ２０・２１に設けられたボルト孔２２にボルト２３を通して両フランジ２０・２１をナット２４で締め付けることにより、両者１４・３は連結されている。流入筒１３と第１移送管２との連結個所は、リング状のパッキン２５でシールされている。同様に、流出筒１４と第２移送管３との連結個所は、リング状のパッキン２６でシールされている。流入筒１３と流出筒１４の軸心方向は左右水平方向に指向している。
【００３３】
図５に示すように、ハウジング１０の内面は断面Ｕ字状に形成されており、その上端に出入用孔７が開設されている。出入用孔７は、濾過室８からスクリーン１２を取り出すことや、濾過室８内を洗浄することを主目的として形成されたものであり、平面視で略四角状に形成されている（図６参照）。図２に示すように、出入用孔７に着脱可能に装着される蓋体１１は、出入用孔７を封止する蓋本体２８と、スクリーン１２を着脱可能に支持するスクリーン支持構造２９とで構成される。図５、および図６に示すように、蓋体１１とハウジング１０の前後端のそれぞれには、取付片３０・３１が張り出し形成されており、両者１１・１０の取付片３０・３１を位置合わせしたうえで、蓋体１１側の取付片３０に設けられたボルト孔３２を介して、ボルト３３をハウジング１０側の取付片３１に設けられたネジ孔３４に螺合させることにより、ハウジング１０に対して蓋体１１を固定装着することができる。図５において符号３５は、ハウジング１０の出入用孔７の開口周縁に形成された凹溝３６内に装着される止水パッキンを示しており、この止水パッキン３５により、固定装着時の蓋体１１の下面とハウジング１０の上面との間の隙間はシールされている。
【００３４】
図４に示すように、スクリーン１２は、多数個の微小孔を備えるステンレスメッシュを素材とするものであり、ハウジング１０の流出口６側（右側）を小径部とし、ハウジング１０の流入口５側（左側）を大径部として、両端に開口３７・３８を有する無底テーパー筒状に形成されている。流入口５から濾過室８内に流入された液体は、スクリーン１２を通過して流出口６から吐出される。このときスクリーン１２の筒内面が濾過の一次側となり、筒外面が濾過の二次側となり、筒内面に固形異物等が捕捉される。また、スクリーン１２の一次側に堆積した固形異物等は、後述するドレインライン７４を介してハウジング１０の外部に排出することができるように構成されている。
【００３５】
図１乃至図４において、スクリーン支持構造２９は、蓋本体２８に固定されて、スクリーン１２の流出口６側（右側）の開口縁を支持する第１支持体３９と、第１支持体３９の中途部から流入口５側（左側）に向って伸びてスクリーン１２の軸心を貫く支持軸４０と、支持軸４０の遊端側に固定されて、スクリーン１２の流入口５側（左側）の開口縁を支持する第２支持体４１と、第１支持体３９と支持軸４０とを着脱可能に連結する第１連結構造４２と、第２支持体４１と支持軸４０とを着脱可能に連結する第２連結構造４３とで構成される。
【００３６】
第１支持体３９は、蓋本体２８から下方に伸びる円柱状の基端部４５と、基端部４５の下方に連設されてスクリーン１２の流出口６側（右側）の小径の開口縁を支持するとともに、当該流出口６側（右側）の開口３７を閉じるスクリーン受部４６と、スクリーン受部４６の下方に連設された無底円筒状の遊端部４７とを一体に有する。基端部４５の上端は、蓋本体２８の下面に固定されている。スクリーン受部４６は、左方に開口４８を有する有底筒状に形成され、その開口４８の周縁には左方に指向してスクリーン１２の流出口６側の開口縁を受け止める受面４９が形成されている。
【００３７】
第２支持体４１は、ハウジング１０の断面Ｕ字形の内周面に嵌合するＵ字状に形成されて、盤面中央にスクリーン１２の一次側への液体の流入を許す円形の開口５１を備える枠状の受片５２と、開口５１を仕切るように受片５２の対向する枠部どうしを繋ぐ横架片５３とで構成される。受片５２の上端縁は、蓋体１１の内面に受け止められて、不用意な回転を防ぐ規制辺部５４とされている。開口５１のスクリーン１２側の周縁内面には、右方に指向する受面５５が形成されており、この受面５５にスクリーン１２の流入口５側の開口縁が受け止められる。図２において符号５６は、受片５２の全周に形成された凹溝５７内に装着される止水パッキンを示しており、この止水パッキン５６により、スクリーン１２の装着時のハウジング１０および蓋本体２８の内面と、第２支持体４１との間の隙間はシールされる。
【００３８】
支持軸４０は、左右両端に雄ネジ部６０・６１を有するスタッドボルトである。第１連結構造４２は、支持軸４０の右端に設けられた雄ネジ部６０と、スクリーン受部４６の筒端面の中央部に設けられて当該雄ネジ部６０の挿通を許す通孔６２と、通孔６２を介して流出口６側に突出する雄ネジ部６０に装着されるワッシャ６３と、雄ネジ部６０に螺合されるナット６４とで構成される（図３参照）。第２連結構造４３は、支持軸４０の左端に設けられた雄ネジ部６１と、横架片５３の中央部に設けられた雄ネジ部６１と螺合する雌ネジ部６６と、雄ネジ部６１に螺合装着される回り止め用のナット６７とワッシャ６８とで構成される（図１参照）。
【００３９】
以上のような構成からなるスクリーン支持構造２９においては、例えば第２連結構造４３により第２支持体４１に支持軸４０を連結したのち、スクリーン１２の流入口５側（左側）の開口３８から支持軸４０をスクリーン１２内に挿入し、スクリーン１２の流出口６側（右側）の開口３７から突出する支持軸４０を第１支持体３９のスクリーン受部４６の通孔６２に通して、第１連結構造４２により支持軸４０と第１支持体３９とを連結することで、第１支持体３９と第２支持体４１との間に、スクリーン１２を挟持状に保持して、蓋体１１にスクリーン１２を固定させることができる。また、第１連結構造４２のナット６４を弛緩操作して、支持軸４０と第１支持体３９との連結状態を解除したうえで、スクリーン１２の内部から支持軸４０を引き抜くことで、蓋体１１からスクリーン１２を分離することができる。
【００４０】
ハウジング１０と蓋体１１との間には、ハウジング１０に対して蓋体１１を取り付けたときに両者を連結するための蓋連結機構７０が設けられている。図３に示すように、本実施例の蓋連結機構７０は、第１支持体３９の下端を上連結要素７１とし、ハウジング１０の底面に突設されて、上連結要素７１を外嵌状に保持するボス７２を下連結要素７３とする。すなわち、本実施例の蓋連結機構７０は、第１支持体３９の遊端部４７の下端である上連結要素７１と、ハウジング１０の底面に突設されたボス７２からなる下連結要素７３とで構成される。
【００４１】
蓋連結機構７０の内部には、スクリーン１２の一次側に堆積した固形異物等をハウジング１０の外部に排出するためのドレインライン７４が設けられている。ドレインライン７４は、上連結要素７１に形成された上排出流路７５と、下連結要素７３に形成されて、ハウジング１０の外部に至る下排出流路７６とで構成される。上排出流路７５は、第１支持体３９のスクリーン受部４６に設けられて、スクリーン１２の流出口６側（右側）の開口３７に連通する第１排出流路７７と、第１支持体３９の遊端部４７の内部に設けられて、第１排出流路７７に連通する第２排出流路７８とで構成される。以上より、ハウジング１０に対して蓋体１１を取り付けたとき、蓋連結機構７０により上下の連結要素７１・７３の間に連結状態が確立されるとともに、上下の排出流路７５・７６が連通することで、スクリーン１２の開口３７からハウジング１０の外部に至るドレインライン７４が構築される。また、ハウジング１０から蓋体１１を取外したとき、上下の連結要素７１・７３の間の連結状態が解除されるとともに、上下の排出流路７５・７６の連通状態が解除されてドレインライン７４が分解される。
【００４２】
図２に示すように、ボス７２の上端には、第１支持体３９の遊端部４７の下端の進入を許す装着部８０が形成され、ボス７２に連通するハウジング１０の排出口の下端には、接続ニップル８１の雄ねじ部８２の螺合を許す雌ねじ部８３が形成されている。接続ニップル８１には、ドレインライン７４を開閉制御するドレインバルブ８４が連結されている（図１参照）。ドレインバルブ８４は、ハンドル８５を手動で回転操作することで開閉制御することができるようになっており、ハンドル８５が水平姿勢にあるとき、ドレインバルブ８４はドレインライン７４を閉じる閉状態にあり、当該水平姿勢からハンドル８５を９０度、下方に向けて回転操作することで、ドレインバルブ８４をドレインライン７４を開く開状態とすることができる。このようにドレインライン７４を開くことで、スクリーン１２の流入口５側（左側）の開口３８から受け入れた液体の一部を上排出流路７５と下排出流路７６とからなるドレインライン７４を介して、ハウジング１０の外部に送り出すことができ、このとき、スクリーン１２の一次側（濾面）に付着した固形異物等を液体とともにドレインライン７４からハウジング１０の外部に排出して、スクリーン１２を洗浄することができる。このとき、予めドレインバルブ８４の下方にバケツ等を配しておくことで、当該バケツ等でドレインライン７４から排出された固形異物等を受けることができる。
【００４３】
図１および図２において、符号８６は、濾過室８内に存する液体を排出するための流体排出孔を、符号８７は流体排出孔８６を塞ぐように着脱可能に構成されたキャップを示す。流体排出孔８６は、濾過室８を洗浄するときなどに開放される。
【００４４】
このように本実施例に係るストレーナ１においては、スクリーン１２の一次側に堆積した固形異物等をハウジング１０の外部に排出するためのドレインライン７４を備えるものとしたため、ハウジング１０の内部にスクリーン１２を設置した状態で、洗浄作業を行って濾面を再生することができる。また本実施例に係るストレーナ１においては、蓋体１１に対してスクリーン１２を着脱自在に支持させて、ハウジング１０から蓋体１１を取外したとき、出入用孔７を介してスクリーン１２の全体をハウジング１０の外部に取り出すことができるようにしたので、ハウジング１０の外部においてスクリーン１２の洗浄作業を行って濾面を再生することもできる。以上より本実施例に係るストレーナ１では、ドレインライン７４を介したスクリーン１２の洗浄作業と、ハウジング１０の外部におけるスクリーン１２の洗浄作業という、二種の洗浄作業を行うことができるので、例えば、まずドレインライン７４を介した洗浄作業を行い、当該洗浄作業によっても目詰まりが解消しない場合には、ハウジング１０の外部にスクリーン１２を取り出して洗浄作業を行うなど、使用状況や目詰まりの状態に応じた最適な洗浄作業を実行することができる。日常的にはドレインライン７４を介した洗浄作業を行い、数ヶ月や数週間に一度、ハウジング１０の外部にスクリーン１２を取り出して洗浄作業を行うなど、この場合にも使用状況や目詰まりの状況に応じた最適な洗浄作業を実行できる。さらにハウジング１０の外部にスクリーン１２を取り出し、当該スクリーン１２を交換することで濾面を再生することも可能である。以上より、使用状況や目詰まりの状況に応じたスクリーン１２の洗浄作業や交換作業を適切に行うことができるため、濾面再生機能に優れたストレーナ１を得ることができる。
【００４５】
加えて、上述のように本実施例に係るストレーナ１においては、ハウジング１０の濾過室８に臨む底面と蓋体１１の下端との間に、ハウジング１０に対して蓋体１１を取り付けたときにハウジング１０と蓋体１１とを連結する蓋連結機構７０を設けるとともに、当該蓋連結機構７０を構成するハウジング１０側の下連結要素７３に下排出流路７６を形成し、蓋連結機構７０を構成する蓋体１１側の上連結要素７１に上排出流路７５を形成し、ハウジング１０に対して蓋体１１を取り付けたとき、上下の連結要素７１・７３の間で連結状態が確立されるとともに、上下の排出流路７５・７６が連通することでドレインライン７４が構築され、ハウジング１０に対して蓋体１１を取外したとき、上下の連結要素７１・７３の間の連結状態が解除されるように構成した。これによれば、ハウジング１０に対して蓋体１１を取り付けるだけで、ドレインライン７４を構築することが可能であり、また、逆の手順でハウジング１０に対して蓋体１１を取外すだけで、ドレインライン７４を分解することができる。したがって、本実施例に係るストレーナ１によれば、狭隘なハウジング１０の内部におけるドレインライン７４の構築作業や分解作業は一切不要であり、ハウジング１０に対する蓋体１１の着脱操作を行うだけで、ワンタッチで簡単に迅速且つ簡単にドレインライン７４の構築作業や分解作業を行うことができ、組立て性とメンテナンス性に優れたストレーナを得ることができる。
【００４６】
また、ハウジング１０の上方に出入用孔７を開設したので、蓋体１１を取外したときに、ハウジング１０から液体が漏れることはない。したがって、スクリーン１２の取り出し作業を行うたびに、ハウジング１０内の液体を排出する必要はなく、より迅速に、ハウジング１０の外部における洗浄作業を進めることができる。
【００４７】
上述のように蓋本体２８に対しては第１支持体３９のみが固定されており、第２支持体４１は支持軸４０を介して第１支持体３９に保持されているにすぎない。したがって、第１連結構造４２による第１支持体３９に対する支持軸４０の連結状態を解除するだけで、支持軸４０、第２支持体４１、およびスクリーン１２を、蓋本体２８および第１支持体３９から分離することができ、また逆の手順で第１連結構造４２により第１支持体３９に対する支持軸４０の連結状態を確立することで、支持軸４０、第２支持体４１、およびスクリーン１２を、蓋本体２８および第１支持体３９に連結することができる。これによれば、例えば、蓋本体２８に対して第１支持体３９のみならず第２支持体４１が固定されている構成に比べて、より迅速に蓋本体２８からスクリーン１２を分離して洗浄作業を行うことが可能であり、優れた組立て性とメンテナンス性を確保できる。
【００４８】
基端部４５、スクリーン受部４６、および遊端部４７の三者を一体に形成して第１支持体３９を構成したので、これら三者を別体に構成する形態に比べて、部品点数が少なく構造の簡素化を図ることができ、しかも三者を組み付ける作業も不要となるので、組み付け作業性の向上を図ることができる。
【００４９】
第２支持体４１を、盤面中央にスクリーン１２の一次側への液体の流入を許す開口５１を備える枠状の受片５２と、開口５１を仕切るように受片５２の対向する枠部どうしを繋ぐ横架片５３とで構成したので、受片５２によりスクリーン１２の流入口５側（左側）の開口縁を全周状に支持して、スクリーン１２の変形を効果的に防ぐことができる。また、受片５２を開口５１を備える枠状としたので、当該受片５２を設けたことによりスクリーン１２の一次側への液体の流入が阻害されることを抑えて、支障なく液体をスクリーン１２内に流入させることができる。受片５２の上端縁に蓋本体２８の内面に受け止められる規制辺部５４を形成したので、流体圧力を受けて第２支持体４１ががたつくのを防止することができる。したがって、不用意に第１連結構造４２や第２連結構造４３が解除されて、スクリーン支持構造２９からスクリーン１２が脱落することを効果的に防ぐことができる。第２支持体４１のがたつきを防止することができるので、静粛性の向上を図ることもできる。
【００５０】
支持軸４０を、両端に雄ネジ部６０・６１を有するスタッドボルトとして、両連結構造（第１・第２連結構造）４２・４３を、ナット６４・６７を含む螺合構造としたので、これら第１連結構造４２と第２連結構造４３を簡素化して、ストレーナ１の製造コストを抑えることができる。
【００５１】
（実施例２）  図７に、本発明に係るインライン型ストレーナの実施例２を示す。実施例２に係るストレーナでは、流入筒１３の内面に、スクリーン１２の内部に旋回流を発生させるための案内翼９０を設けた点が、先の実施例１と相違する。より具体的には、流入筒１３の上下および前後の内面四箇所に案内翼９０が形成されており、この案内翼９０を通ることで液体に回転する力が付与されてスクリーン１２の内部に反時計方向の旋回流が生成される。それ以外の点は、先の実施例１と同様であるので、同一の部材には同一の符号を付して、その説明を省略する。
【００５２】
この実施例２に係るストレーナ１によれば、旋回流の流体圧力により、スクリーン１２の内部にこびり付いた異物を剥がし取ることができるので、ドレインライン７４が開放操作されたときに、より効率的にスクリーン１２の濾面を再生することができる。
【００５３】
（実施例３）  図８ないし図１０に、本発明に係るインライン型ストレーナの実施例３を示す。実施例３に係るストレーナでは、濾過室８を区画するハウジング１０に、ドレインライン７４を使った洗浄作業時に、濾過室８内に流体を圧送して、スクリーン１２の外部に乱流を生じさせるための流体供給路９１〜９３が形成されている点が、先の実施例２と相違する。これら流体供給路９１〜９３から濾過室８内に圧送される流体の具体例としては、液体（水）、気体（空気）、水蒸気などを挙げることができる。
【００５４】
具体的には、濾過室８を区画するハウジング１０の前面に第１供給路９１が形成され、濾過室８を区画するハウジング１０の後面に第２供給路９２が形成され、スクリーン１２の支持構造２９の第１支持体３９を構成する基端部４５に第３供給路９３が形成されている。図９、および図１０に示すように、第２供給路９２の濾過室８に臨む供給口９４は、第１供給路９１の供給口９５よりも上方に設けられており、両供給路９１・９２にホース９６・９６を連結して、両供給口９４・９５を介して濾過室８内に流体を圧送したとき、スクリーン１２の外側には、案内翼９０により発生される反時計方向の旋回流とは逆向きの時計方向の旋回流が発生されるようになっている。第３供給路９３の濾過室８に臨む供給口９７は、上流方向（左方）に指向しており、第３供給路９３にホース９６を連結して、第３供給路９３を介して濾過室８内に流体を圧送したとき、スクリーン１２の外側には、下流側から上流側に向う方向の噴射流が生じるようになっている。
【００５５】
このように、第１・第２供給路９１・９２から供給される流体により、スクリーン１２の外側に案内翼９０により生成される旋回流とは逆向きの旋回流が形成されると、スクリーン１２の筒内面に付着している固形異物等を、筒内面から浮き上がらせることができるので、より確実に固形異物等を筒内面から剥がし取って、ドレインライン７４を介して固形異物等をハウジング１０の外部に排出して、濾面を再生することができる。また、第３供給路９３から供給される流体により、スクリーン１２の外側に、下流側から上流側に向う方向の噴射流が形成されることによっても、スクリーン１２の一次側（筒内面）に付着している固形異物等を、筒内面から浮き上がらせることができるので、より確実に固形異物等を筒内面から剥がし取って、ドレインライン７４を介して固形異物等をハウジング１０の外部に排出して、濾面を再生することができる。これら第１・第２供給路９１・９２からの流体の供給と、第３供給路９３からの流体の供給とは、別々に行っても、同時に行ってもよい。
【００５６】
（実施例４）  図１１ないし図１７に、本発明に係るインライン型ストレーナを、蛇行形の内部流路を有するＵ型ストレーナ１に適用した実施例４を示す。本実施例における前後、左右、上下とは、図１１、図１２、および図１７に示す交差矢印と、各矢印の近傍に表記した前後、左右、上下の表示に従う。図１１に示すように、本実施例におけるストレーナ１は、上流側に位置する第１移送管２と、下流側に位置する第２移送管３との間に配されており、これら移送管２・３で構成されるライン内を流れる液体に対して濾過を行って、固形異物等の除去を行う。ストレーナ１は、左端に開設された流入口５と、右端に開設された流出口６と、上方に開設された出入用孔７とを備え、内部に流入口５から流出口６に向う濾過室８を有するハウジング１０と、ハウジング１０に対して着脱可能に構成された蓋体１１と、濾過室８内に配されるスクリーン１２と、ハウジング１０の左方に設けられた流入筒１３と、ハウジング１０の右方に設けられた流出筒１４などを有する。ハウジング１０、流入筒１３、および流出筒１４は、これらが一体に形成された鋳造品からなる。
【００５７】
流入筒１３の左端と、第１移送管２の右端のそれぞれにはフランジ１５・１６が設けられており、両者１３・２のフランジ１５・１６を突き合わせたうえで、両フランジ１５・１６に設けられた複数個のボルト孔１７にボルト１８を通して、両フランジ１５・１６をナット１９で締め付けることにより、両者１３・２は連結されている。同様に、流出筒１４の右端と、第２移送管３の左端のそれぞれにはフランジ２０・２１が設けられており、両者１４・３のフランジ２０・２１を突き合わせたうえで、両フランジ２０・２１に設けられたボルト孔２２にボルト２３を通して両フランジ２０・２１をナット２４で締め付けることにより、両者１４・３は連結されている。流入筒１３と第１移送管２との連結個所は、リング状のパッキン２５でシールされている。同様に、流出筒１４と第２移送管３との連結個所は、リング状のパッキン２６でシールされている。流入筒１３と流出筒１４の軸心方向は左右水平方向に指向している。
【００５８】
図１１に示すように、ハウジング１０に形成される濾過室８は、流入口５に連通して、スクリーン１２の濾過前の液体が流れる一次側流路１００と、スクリーン１２が配されて濾過後の液体が流れる二次側流路１０１とに分割されている。一次側流路１００は、流入口５に連続するストレート状に形成されており、その上部には出入用孔７が開設されている。出入用孔７は、濾過室８からスクリーン１２を取り出すことや、濾過室８内を洗浄することを主目的として形成されたものであり、平面視で円状に形成されている（図１７参照）。図１１、図１２に示すように、一次側流路１００と二次側流路１０１との間は、水平方向に走る底壁１０２と上下方向に伸びる隔壁１０３とで仕切られており、底壁１０２にはスクリーン挿通用の連通口１０４が開設されている。底壁１０２の上面の連通口１０４の周縁には、後述する第２支持体１１２の受片１２１を受け止める環状面を有する段部１０７が凹み形成されている。
【００５９】
二次側流路１０１は、下方側に伸びて、スクリーン１２が配される縦流路１０５と、縦流路１０５に連続して横方向に伸びる水平流路１０６とで構成されており、水平流路１０６の下流端は流出口６に連通している。以上のような一次側流路１００と二次側流路１０１により、ハウジング１０の内部には、蛇行形の内部流路を有する濾過室８が形成される。
【００６０】
図１２に示すように、出入用孔７に着脱可能に装着される蓋体１１は、出入用孔７を封止する正方形状の蓋本体２８と、スクリーン１２を着脱可能に支持するスクリーン支持構造２９とで構成される。蓋体１１の四隅にはボルト孔３２が形成されるとともに、当該ボルト孔３２に対応してハウジング１０の上面に形成されたフランジ１０８の四隅にはネジ孔３４が形成されており（図１２、図１７参照）、両者３２・３４を位置合せしたうえで、蓋体１１側のボルト孔３２を介して、ボルト３３をハウジング１０側のネジ孔３４に螺合させることにより、ハウジング１０に対して蓋体１１を固定装着することができる。図１１および図１２において符号３５は、ハウジング１０の出入用孔７の開口周縁に形成された凹溝３６内に装着される止水パッキンを示しており、この止水パッキン３５により、固定装着時の蓋体１１の下面とハウジング１０の上面との間の隙間はシールされている。
【００６１】
図１３および図１４に示すように、スクリーン１２は、多数個の微小孔を備えるステンレスメッシュを素材とするものであり、下方側を小径部とし、上方側を大径部として、上下両端に開口３７・３８を有する無底テーパー筒状に形成されている。図１１に示すように、流入口５から濾過室８内に流入された液体は、一次側流路１００を通り、スクリーン１２を通過したのち、二次側流路１０１を通って流出口６から吐出される。このときスクリーン１２の筒内面が濾過の一次側となり、筒外面が濾過の二次側となり、筒内面に固形異物等が捕捉される。また、スクリーン１２の一次側に堆積した固形異物等は、後述するドレインライン７４を介してハウジング１０の外部に排出することができる。
【００６２】
図１３および図１４において、スクリーン支持構造２９は、蓋本体２８から下方に延びて、濾過室８の底面に至る支持柱１１０と、支持柱１１０の下端に設けられてスクリーン１２の下方側の開口縁を支持する第１支持体１１１と、支持柱１１０の中途部に設けられてスクリーン１２の上方側の開口縁を支持する第２支持体１１２と、支持柱１１０と第１支持体１１１とを着脱可能に連結する連結構造１１３とで構成される。
【００６３】
支持柱１１０は、蓋本体２８から下方に伸びる円柱形の柱本体１１４と、柱本体１１４の上方に外方向に鍔状に張り出し形成されたストッパ壁１１５とを備える。ストッパ壁１１５は上方側の大径部１１６と、下方側の小径部１１７とを備える多段状に形成されている。第１支持体１１１は、外周形状が六角形である薄厚の円筒状に形成されており、上方側の筒端面には、スクリーン１２の流出側（下方側）の開口縁を受け止める受面１１９が段付状に凹み形成されている。
【００６４】
第２支持体１１２は、円盤状に形成されて、盤面中央にスクリーン１２の一次側への液体の流入を許す円形の開口１２０を備える枠状の受片１２１と、開口１２０を仕切るように受片１２１の対向する枠部どうしを繋ぐ横架片１２２とを備える。横架片１２２の中央部には、ストッパ壁１１５の小径部１１７に外嵌接続される係合筒壁１２３が形成されている。受片１２１のスクリーン１２側の周縁内面には、下方に指向する受面１２４が形成されており、この受面１２４にスクリーン１２の流入口５側（上方側）の開口縁が受け止められる。図１３において符号１２５は受片１２１の下面に形成された凹溝１２６内に装着される止水パッキンを示しており、この止水パッキン１２５により、スクリーン１２の装着時の一次側流路１００の底壁１０２と、第２支持体１１２の受片１２１との間の隙間はシールされる。
【００６５】
図１３および図１４に示すように、連結構造１１３は、支持柱１１０の下端に形成された雄ネジ部１２８と、第１支持体１１１の筒内面に形成された雌ネジ部１２９とで構成される。
【００６６】
以上のような構成からなるスクリーン支持構造２９においては、第２支持体１１２の上方から係合筒壁１２３の内部に支持柱１１０を挿入し、スクリーン１２の流入口５側（上側）の開口３８から支持柱１１０をスクリーン１２内に挿入させ、支持柱１１０の下端をスクリーン１２の流出口６側（下側）の開口３７から突出させる。次いで、スクリーン１２から突出する支持柱１１０の下端に第１支持体１１１を挿通させたうえで、第１支持体１１１を回転させながら上方に押し込む。これにより、支持柱１１０の雄ネジ部１２８に第１支持体１１１の雌ネジ部１２９を螺合させて、連結構造１１３により、支持柱１１０に第１支持体１１１を連結させることができる。以上より、第１支持体１１１と第２支持体１１２との間に、スクリーン１２を挟持状に保持させて、蓋体１１にスクリーン１２を固定させることができる。また、第１支持体１１１を先とは反対方向に回転させて、支持柱１１０と第１支持体１１１との連結状態を解除したうえで、スクリーン１２の内部から支持柱１１０を引き抜くことで、蓋体１１からスクリーン１２を分離することができる。
【００６７】
ハウジング１０と蓋体１１との間には、ハウジング１０に対して蓋体１１を取り付けたときに両者を連結するための蓋連結機構７０が設けられている。図１５に示すように、本実施例の蓋連結機構７０は、支持柱１１０の下端を上連結要素７１とし、ハウジング１０の底面に突設されて、上連結要素７１を外嵌状に保持するボス７２を下連結要素７３とする。すなわち、本実施例の蓋連結機構７０は、支持柱１１０の下端に形成された上連結要素７１と、ハウジング１０の底面に突設されたボス７２からなる下連結要素７３とで構成される。
【００６８】
蓋連結機構７０の内部には、スクリーン１２の一次側に堆積した固形異物等をハウジング１０の外部に排出するためのドレインライン７４が設けられている。ドレインライン７４は、上連結要素７１に形成された上排出流路７５と、下連結要素７３に形成されて、ハウジング１０の外部に至る下排出流路７６とで構成される。図１５に示すように、支持柱１１０の下方は中空筒状に形成されており、その内部に、スクリーン１２の内部に連通する第１排出流路１３１と、第１排出流路１３１に連通する第２排出流路１３２とが形成されている。より詳しくは、上排出流路７５の雄ネジ部１２８の上方に位置する支持柱１１０の筒壁の二箇所には対向状に開口１３３が形成されており（図１４、図１６参照）、当該開口１３３を備える上排出流路７５の上半部は、スクリーン１２の内部に連通する第１排出流路１３１とされている。また、上排出流路７５の下半部は、第１排出流路１３１に連通する第２排出流路１３２とされている。
【００６９】
図１５に示すように、ボス７２の上端には、支持柱１１０の下端の進入を許す装着部８０が形成され、ボス７２に連通するハウジング１０の排出口の下端には、接続ニップル８１の雄ねじ部８２の螺合を許す雌ねじ部８３が形成されている。接続ニップル８１には、ドレインライン７４を開閉制御するドレインバルブ８４が連結されている。ドレインバルブ８４は、ハンドル８５を手動で回転操作することで開閉制御することができるようになっており、ハンドル８５が水平姿勢にあるとき、ドレインバルブ８４はドレインライン７４を閉じる閉状態にあり、当該水平姿勢からハンドル８５を９０度、下方に向けて回転操作することで、ドレインバルブ８４をドレインライン７４を開く開状態とすることができる。このようにドレインライン７４を開くことで、スクリーン１２の流入口５側（下側）の開口３８から受け入れた液体の一部を上排出流路７５と下排出流路７６とからなるドレインライン７４を介して、ハウジング１０の外部に送り出すことができ、このとき、スクリーン１２の一次側（濾面）に付着した固形異物等を液体とともにドレインライン７４からハウジング１０の外部に排出して、スクリーン１２を洗浄することができる。このとき、予めドレインバルブ８４の下方にバケツ等を配しておくことで、当該バケツ等でドレインライン７４から排出された固形異物等を受けることができる。
【００７０】
このように本実施例に係るストレーナにおいては、スクリーン１２の一次側に堆積した固形異物等をハウジング１０の外部に排出するためのドレインライン７４を備えるものとしたため、ハウジング１０の内部にスクリーン１２を設置した状態で、洗浄作業を行って濾面を再生することができる。また本実施例に係るストレーナにおいては、蓋体１１に対してスクリーン１２を着脱自在に支持させて、ハウジング１０から蓋体１１を取外したとき、出入用孔７を介してスクリーン１２の全体をハウジング１０の外部に取り出すことができるようにしたので、ハウジング１０の外部においてスクリーン１２の洗浄作業を行って濾面を再生することもできる。以上より本実施例に係るストレーナでは、ドレインライン７４を介したスクリーン１２の洗浄作業と、ハウジング１０の外部におけるスクリーン１２の洗浄作業という、二種の洗浄作業を行うことができるので、例えば、まずドレインライン７４を介した洗浄作業を行い、当該洗浄作業によっても目詰まりが解消しない場合には、ハウジング１０の外部にスクリーン１２を取り出して洗浄作業を行うなど、使用状況や目詰まりの状態に応じた最適な洗浄作業を実行することができる。日常的にはドレインライン７４を介した洗浄作業を行い、数ヶ月や数週間に一度、ハウジング１０の外部にスクリーン１２を取り出して洗浄作業を行うなど、この場合にも使用状況や目詰まりの状況に応じた最適な洗浄作業を実行できる。さらにハウジング１０の外部にスクリーン１２を取り出し、当該スクリーン１２を交換することで濾面を再生することも可能である。以上より、使用状況や目詰まりの状況に応じたスクリーン１２の洗浄作業や交換作業を適切に行うことができるため、濾面再生機能に優れたストレーナを得ることができる。
【００７１】
加えて、上述のように本実施例に係るストレーナにおいては、ハウジング１０の濾過室８に臨む底面と蓋体１１の下端との間に、ハウジング１０に対して蓋体１１を取り付けたときにハウジング１０と蓋体１１とを連結する蓋連結機構７０を設けるとともに、当該蓋連結機構７０を構成するハウジング１０側の下連結要素７３に下排出流路７６を形成し、蓋連結機構７０を構成する蓋体１１側の上連結要素７１に上排出流路７５を形成し、ハウジング１０に対して蓋体１１を取り付けたとき、上下の連結要素７１・７３の間で連結状態が確立されるとともに、上下の排出流路７５・７６が連通することでドレインライン７４が構築され、ハウジング１０に対して蓋体１１を取外したとき、上下の連結要素７１・７３の間の連結状態が解除されるように構成した。これによれば、ハウジング１０に対して蓋体１１を取り付けるだけで、ドレインライン７４を構築することが可能であり、また、逆の手順でハウジング１０に対して蓋体１１を取外すだけで、ドレインライン７４を分解することができる。したがって、本実施例に係るストレーナによれば、狭隘なハウジング１０の内部におけるドレインライン７４の構築作業や分解作業は一切不要であり、ハウジング１０に対する蓋体１１の着脱操作を行うだけで、ワンタッチで簡単に迅速且つ簡単にドレインライン７４の構築作業や分解作業を行うことができ、組立て性とメンテナンス性に優れたストレーナを得ることができる。
【００７２】
また、ハウジング１０の上方に出入用孔７を開設したので、蓋体１１を取外したときに、ハウジング１０から液体が漏れることはない。したがって、スクリーン１２の取り出し作業を行うたびに、ハウジング１０内の液体を排出する必要はなく、より迅速に、ハウジング１０の外部における洗浄作業を進めることができる。
【００７３】
また、本実施例のスクリーン支持構造２９によれば、蓋本体２８に対しては支持柱１１０のみが固定されており、しかも第１支持体１１１と第２支持体１１２との間にスクリーン１２が挟持状に保持されているため、連結構造１１３による支持柱１１０に対する第１支持体１１１の連結状態を解除するだけで、第１支持体１１１、第２支持体１１２およびスクリーン１２を、蓋本体２８および支持柱１１０から分離することができ、また逆の手順で連結構造１１３により支持柱１１０に対する第１支持体１１１の連結状態を確立することで、第１支持体１１１、第２支持体１１２およびスクリーン１２を、蓋本体２８および支持柱１１０に連結することができる。したがって、容易に蓋本体２８からスクリーン１２を分離して洗浄作業を行うことが可能であり、組立て性とメンテナンス性に優れたインライン型ストレーナを得ることができる。
【００７４】
連結構造１１３が、支持柱１１０の先端に設けられた雄ネジ部１２８と、円筒状の第１支持体１１１の内面に形成された雌ネジ部１２９とで構成されていると、連結構造１１３を簡素化することができるので、インライン型ストレーナの製造コストを抑えることができる。
【００７５】
上記実施例においては、ボルト３３を締結固定することでハウジング１０に対して蓋体１１を固定していたが、本発明はこれに限られず、図１８に示すような蓋支持体１４０により、ハウジング１０に対して蓋体１１を固定するようにしてもよい。図１８の蓋支持体１４０は、操作ボルト１４１の雄ネジ部が螺合係合される雌ネジ部を有するハブ１４２と、ハブ１４２の外周から伸びる一対の腕部１４３・１４３と、腕部１４３の先端のそれぞれに設けられて内向きに伸びる抜止爪１４４とを一体に備える鋳造品からなり、ハウジング１０に抜止爪１４４を係合させたうえで、操作ボルト１４１を回転操作させて、これを下方に変位させることで、蓋体１１を押下げて、蓋体１１をハウジング１０に固定させることができる。
【符号の説明】
【００７６】
１  インライン型ストレーナ
５  流入口
６  流出口
７  出入用孔
８  濾過室
１０  ハウジング
１１  蓋体
１２  スクリーン
２８  蓋本体
２９  スクリーン支持構造
３７  開口
３８  開口
３９  第１支持体
４０  支持軸
４１  第２支持体
４２  第１連結構造
４３  第２連結構造
４５  基端部
４６  スクリーン受部
４７  遊端部
５１  開口
５２  受片
５３  横架片
５４  規制辺部
６０  雄ネジ部
６１  雄ネジ部
６２  通孔
６４  ナット
６６  雌ネジ部
７０  蓋連結機構
７１  上連結要素
７３  下連結要素
７５  上排出流路
７６  下排出流路
７７  第１排出流路
７８  第２排出流路
９０  案内翼
９１  第１供給路（流体供給路）
９２  第２供給路（流体供給路）
９３  第３供給路（流体供給路）
１１０  支持柱
１１１  第１支持体
１１２  第２支持体
１１３  連結構造
１２８  雄ネジ部
１２９  雌ネジ部
１３１  第１排出流路
１３２  第２排出流路
【図１】
2020185543.tif 000003
【図２】
2020185543.tif 000004
【図３】
2020185543.tif 000005
【図４】
2020185543.tif 000006
【図５】
2020185543.tif 000007
【図６】
2020185543.tif 000008
【図７】
2020185543.tif 000009
【図８】
2020185543.tif 000010
【図９】
2020185543.tif 000011
【図１０】
2020185543.tif 000012
【図１１】
2020185543.tif 000013
【図１２】
2020185543.tif 000014
【図１３】
2020185543.tif 000015
【図１４】
2020185543.tif 000016
【図１５】
2020185543.tif 000017
【図１６】
2020185543.tif 000018
【図１７】
2020185543.tif 000019
【図１８】
2020185543.tif 000020